【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
向上した上りリンクサービスを支援する移動通信システムにおいて、複合自動再送信要求（ＨＡＲＱ）を支援しない第１のチャンネル及びＨＡＲＱを支援する第２のチャンネルを伝送する方法であって、
前記チャンネルのための送信電力係数を決定し、前記チャンネルの伝送に必要な総送信電力が最大許容電力を超過するか否かを確認するステップと、
前記総送信電力が前記最大許容電力を超過すると、前記第２のチャンネルのための送信電力係数を減少させるステップと、
前記第２のチャンネルのための減少された前記送信電力係数及び前記第１のチャンネルのための送信電力係数を使用して前記第１及び第２のチャンネルを介してデータを伝送するステップと
を含むことを特徴とする方法。
【請求項２】
前記減少させるステップは、
スロット単位で遂行されることを特徴とする請求項１記載の方法。
【請求項３】
前記総送信電力は、
前記第１及び第２のチャンネルのための送信電力係数及びシステムによる送信電力制御（ＴＰＣ）命令を考慮して決定されることを特徴とする請求項１記載の方法。
【請求項４】
前記第２のチャンネルの送信電力係数があらかじめ設定された最小値以下に減少される場合、前記第１のチャンネルを構成する他のチャンネルに相当する送信電力係数を均一に減少させるステップをさらに含むことを特徴とする請求項１記載の方法。
【請求項５】
あらかじめ設定された前記最小値は、
前記第２のチャンネルを伝送しない状態を示すことを特徴とする請求項４記載の方法。
【請求項６】
前記第２のチャンネルの送信電力係数が減少された後にも、前記総送信電力が前記最大許容電力を超過すると、前記第２のチャンネルを除いた他のチャンネルの送信電力係数を均一に減少させるステップをさらに含むことを特徴とする請求項１記載の方法。
【請求項７】
前記第２のチャンネルの送信電力係数が減少された後にも、前記総送信電力が前記最大許容電力を超過すると、チャンネル別優先順位に従って、前記第２のチャンネルを除いた他のチャンネルの送信電力係数を順次に減少させるステップをさらに含むことを特徴とする請求項１記載の方法。
【請求項８】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項７記載の方法。
【請求項９】
前記減少させるステップは、
伝送される前記第２のチャンネルのデータが再伝送データである場合、前記第２のチャンネルの送信電力係数を減少させることを特徴とする請求項１記載の方法。
【請求項１０】
伝送される前記第２のチャンネルのデータが最初伝送データである場合、前記総送信電力が前記最大許容電力を超過しないように、前記第２のチャンネルを構成するすべてのチャンネルの送信電力係数を均一に減少させることを特徴とする請求項１記載の方法。
【請求項１１】
伝送される前記第２のチャンネルのデータが最初伝送データである場合、前記総送信電力が前記最大許容電力を超過しないように、前記第２のチャンネルを構成するすべてのチャンネルの送信電力係数をあらかじめ決定されたチャンネル別優先順位に従って順次に減少させることを特徴とする請求項１記載の方法。
【請求項１２】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項１１記載の方法。
【請求項１３】
前記減少させるステップは、
特定のスロットで、基地局から受信された送信電力制御（ＴＰＣ）命令に従って予測された総送信電力を獲得するステップと、
前記予測された総送信電力が前記最大許容電力を超過しないようにする前記第２のチャンネルの第１の送信電力係数を求めるステップと、
前記特定のスロットに対して前記第１の送信電力係数を前記減少された送信電力係数として提供するステップと、
測定された前記総送信電力を用いて、前記特定のスロットに後続する少なくとも１つの次のスロットに対して、あらかじめ決定された電力制御単位値だけ増加された総送信電力値と前記電力制御単位値だけ減少された総送信電力値とを求め、増加された前記総送信電力値及び減少された前記総送信電力値がそれぞれ前記最大許容電力を超過しないようにする増加された前記総送信電力値及び減少された前記総送信電力値に対応する前記第２のチャンネルの第２の送信電力係数をそれぞれ求めるステップと、
前記少なくとも１つの次のスロットでＴＰＣ命令を受信し、受信された前記ＴＰＣ命令が増加（UP）を示すか、又は減少（DOWN）を示すかに従って、前記第２の送信電力係数のうちの１つを選択するステップと、
前記少なくとも１つの次のスロットで選択された前記第２の送信電力係数を減少された前記送信電力係数として提供するステップと
を含むことを特徴とする請求項１記載の方法。
【請求項１４】
前記送信電力係数は、
基地局から受信されたスケジューリング割当て情報に従って選択された伝送フォーマット（ＴＦ）に基づいてそれぞれ決定されることを特徴とする請求項１記載の方法。
【請求項１５】
向上した上りリンクサービスを支援する移動通信システムにおいて、複合自動再送信要求（ＨＡＲＱ）を支援しない第１のチャンネル及びＨＡＲＱを支援する第２のチャンネルを伝送する装置であって、
前記チャンネルのための送信電力係数を決定し、前記チャンネルの伝送に必要な総送信電力が最大許容電力を超過するか否かを確認して、前記総送信電力が前記最大許容電力を超過すると、前記第２のチャンネルのための送信電力係数を減少させる制御器と、
前記第１及び前記第２のチャンネルデータのチャンネルコーディング及び変調を遂行して第１及び第２のデータフレームを生成する第１及び第２のチャンネル生成器と、
前記第２のチャンネルのための減少された前記送信電力係数及び前記第１のチャンネルのための送信電力係数を用いて、前記第１及び第２のチャンネルのデータフレームを伝送するための前記第１及び第２のチャンネルの送信電力を調節する利得調節器と
を含むことを特徴とする装置。
【請求項１６】
前記制御器は、
前記総送信電力が前記最大許容電力を超過する場合、スロット単位に前記第２のチャンネルのための送信電力係数を減少させることを特徴とする請求項１５記載の装置。
【請求項１７】
前記制御器は、
前記第１のチャンネル及び前記第２のチャンネルのための送信電力係数とシステムによる送信電力制御（ＴＰＣ）命令とに基づいて、前記総送信電力を決定することを特徴とする請求項１５記載の装置。
【請求項１８】
前記制御器は、
前記第２のチャンネルの送信電力係数があらかじめ設定された最小値以下に減少される場合、前記第１のチャンネルを構成する他のチャンネルに相当する送信電力係数を均一に減少させることを特徴とする請求項１５記載の装置。
【請求項１９】
あらかじめ設定された前記最小値は、
前記第２のチャンネルを伝送しない状態を示すことを特徴とする請求項１８記載の装置。
【請求項２０】
前記制御器は、
前記第２のチャンネルの送信電力係数が減少された後にも、前記総送信電力が前記最大許容電力を超過すると、前記第２のチャンネルを除いた他のチャンネルの送信電力係数を均一に減少させることを特徴とする請求項１５記載の装置。
【請求項２１】
前記制御器は、
前記第２のチャンネルの送信電力係数が減少された後にも、前記総送信電力が前記最大許容電力を超過すると、チャンネル別優先順位に従って、前記第２のチャンネルを除いた他のチャンネルの送信電力係数を順次に減少させることを特徴とする請求項１５記載の装置。
【請求項２２】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項２１記載の装置。
【請求項２３】
前記制御器は、
伝送される前記第２のチャンネルのデータが再伝送データである場合、前記第２のチャンネルの送信電力係数を減少させることを特徴とする請求項１５記載の装置。
【請求項２４】
伝送される前記第２のチャンネルのデータが最初伝送データである場合、前記総送信電力が前記最大許容電力を超過しないように、前記第２のチャンネルを構成するすべてのチャンネルの送信電力係数を均一に減少させることを特徴とする請求項１５記載の装置。
【請求項２５】
前記制御器は、
伝送される前記第２のチャンネルのデータが最初伝送データである場合、前記総送信電力が前記最大許容電力を超過しないように、前記第２のチャンネルを構成するすべてのチャンネルの送信電力係数をあらかじめ決定されたチャンネル別優先順位に従って順次に減少させることを特徴とする請求項１５記載の装置。
【請求項２６】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項２５記載の装置。
【請求項２７】
前記制御器は、
特定のスロットで、基地局から受信された送信電力制御（ＴＰＣ）命令に従って予測された総送信電力を獲得し、
予測された前記総送信電力が前記最大許容電力を超過しないようにする前記第２のチャンネルの第１の送信電力係数を求め、
前記特定のスロットに対して前記第１の送信電力係数を減少された前記送信電力係数として提供し、
測定された前記総送信電力を用いて、前記特定のスロットに後続する少なくとも１つの次のスロットに対して、あらかじめ決定された電力制御単位値だけ増加された総送信電力値と前記電力制御単位値だけ減少された総送信電力値とを求め、
増加された前記総送信電力値及び減少された前記総送信電力値がそれぞれ前記最大許容電力を超過しないようにする増加された前記総送信電力値及び減少された前記総送信電力値に対応する前記第２のチャンネルの第２の送信電力係数をそれぞれ求め、
前記少なくとも１つの次のスロットでＴＰＣ命令を受信し、受信された前記ＴＰＣ命令が増加（UP）を示すか、又は減少（DOWN）を示すかに従って、前記第２の送信電力係数のうちの１つを選択し、
前記少なくとも１つの次のスロットで選択された前記第２の送信電力係数を減少された前記送信電力係数として提供することを特徴とする請求項１５記載の装置。
【請求項２８】
前記送信電力係数は、
基地局から受信されたスケジューリング割当て情報に従って選択された伝送フォーマット（ＴＦ）に基づいて、それぞれ決定されることを特徴とする請求項１５記載の装置。
【手続補正２】
【補正対象書類名】明細書
【補正対象項目名】００１４
【補正方法】変更
【補正の内容】
【００１４】
上記背景に鑑みて、本発明の目的は、上りリンクチャンネルを介してパケットサービスを支援する場合に、ＵＥの総送信電力が最大許容電力を超過する時、各物理チャンネルの送信電力を効率的に調節する方法及び装置を提供することにある。
本発明の他の目的は、Ｅ−ＤＣＨデータが再伝送される場合に、特定の送信チャンネルの電力を調節する方法及び装置を提供することにある。
本発明のまた他の目的は、送信状況及びチャンネルの優先順位に従って、Ｅ−ＤＣＨ及びＤＣＨの送信電力をそれぞれ異なって調整する方法及び装置を提供することにある。
【手続補正３】
【補正対象書類名】明細書
【補正対象項目名】００１５
【補正方法】変更
【補正の内容】
【００１５】
このような目的を達成するために、本発明の１つの特徴によれば、向上した上りリンクサービスを支援する移動通信システムにおいて、複合自動再送信要求（ＨＡＲＱ）を支援しない第１のチャンネル及びＨＡＲＱを支援する第２のチャンネルを伝送する方法は、上記チャンネルのための送信電力係数を決定し、上記チャンネルの伝送に必要な総送信電力が最大許容電力を超過するか否かを確認するステップと、上記総送信電力が上記最大許容電力を超過すると、上記第２のチャンネルのための送信電力係数を減少させるステップと、上記第２のチャンネルのための減少された送信電力係数及び上記第１のチャンネルのための送信電力係数を使用して上記第１及び第２のチャンネルを介してデータを伝送するステップとを含むことを特徴とする。
【手続補正４】
【補正対象書類名】明細書
【補正対象項目名】００１６
【補正方法】変更
【補正の内容】
【００１６】
本発明の他の特徴によれば、向上した上りリンクサービスを支援する移動通信システムにおいて、複合自動再送信要求（ＨＡＲＱ）を支援しない第１のチャンネル及びＨＡＲＱを支援する第２のチャンネルを伝送する装置は、上記チャンネルのための送信電力係数を決定し、上記チャンネルの伝送に必要な総送信電力が最大許容電力を超過するか否かを確認して、上記総送信電力が上記最大許容電力を超過すると、上記第２のチャンネルのための送信電力係数を減少させる制御器と、上記第１のチャンネル及び上記第２のチャンネルデータのチャンネルコーディング及び変調を遂行して第１及び第２のデータフレームを生成する第１及び第２のチャンネル生成器と、上記第２のチャンネルのための減少された送信電力係数及び上記第１のチャンネルのための送信電力係数を用いて、上記第１及び第２のチャンネルのデータフレームを伝送するための上記第１及び第２のチャンネルの送信電力を調整する利得調節器とを含むことを特徴とする。